(57)【要約】【課題】安全性を高めた精米機を提供する。【解決手段】精米機１は搗精ロール６と除糠網１２と安全装置３０とを有する。安全装置３０は、除糠網１２が搗精ロール６を覆わない非正規位置にある場合に、精米機１の運転を禁止する。【選択図】図５
2018192395.tif 000002
【特許請求の範囲】
【請求項１】
搗精ロールと除糠網と安全装置とを有する精米機であって、前記安全装置は、前記除糠網が前記搗精ロールを覆わない非正規位置にある場合に、前記精米機の運転を禁止する精米機。
【請求項２】
前記除糠網は前記精米機の本体に対して着脱可能であり、前記安全装置は、前記除糠網が前記精米機に装着されて前記搗精ロールを覆う正規位置にある場合に、前記精米機の運転を許可する請求項１に記載の精米機。
【請求項３】
前記精米機の本体に対して着脱される除糠網着脱ユニットを有し、前記除糠網着脱ユニットは前記除糠網と操作部材とを有して構成され、前記操作部材が前記安全装置を操作する請求項１または２に記載の精米機。
【請求項４】
前記操作部材は、前記除糠網よりも上に配置されている請求項３に記載の精米機。
【発明の詳細な説明】
【技術分野】
【０００１】
本発明は、一般家庭等で用いられる精米機に関する。
【背景技術】
【０００２】
特許文献１に記載の精米機は、着脱可能な点検パネルを有して構成される。点検パネルの内面に、安全スイッチをオンさせる安全装置押突起が設けられている。点検パネルを装着すると、安全装置押突起が駆動用モータの安全スイッチをオンさせて、精米機の運転が可能となる。つまり点検パネルを装着しない限り、駆動用モータを動作させることができないよう、精米機が構成されている。
【先行技術文献】
【特許文献】
【０００３】
【特許文献１】特許第５２９４９８７号公報
【発明の概要】
【発明が解決しようとする課題】
【０００４】
精米機は、周囲に刃が設けられた搗精ロールと、搗精ロールの周囲に配置される除糠網とを有して構成される。そして、搗精ロールを駆動用モータにて回転させて、精米が行われる。ここで点検パネルが装着されている場合、上述のように安全スイッチがオンされて、精米機が運転可能な状態となる。しかし、点検パネルが装着状態であっても除糠網が適切に装着されていない場合、使用者が搗精ロールの刃に触れることが可能な状態となる場合がある。この点で従来の精米機には、安全性をさらに高める余地が存在する。
【０００５】
本発明は上述の課題に鑑みてなされたものであり、その目的は、安全性を高めた精米機を提供することにある。
【課題を解決するための手段】
【０００６】
〔構成１〕
上記目的を達成するための精米機の特徴構成は、
搗精ロールと除糠網と安全装置とを有する精米機であって、前記安全装置は、前記除糠網が前記搗精ロールを覆わない非正規位置にある場合に、前記精米機の運転を禁止する点にある。
【０００７】
上記の特徴構成によれば、安全装置は、除糠網が搗精ロールを覆わない非正規位置にある場合に、精米機の運転を禁止するから、除糠網が搗精ロールを覆わない状態では搗精ロールが回転しないため、精米機の安全性を高めることができる。
【０００８】
〔構成２〕
本発明に係る精米機の別の特徴構成は、
前記除糠網は前記精米機の本体に対して着脱可能であり、前記安全装置は、前記除糠網が前記精米機に装着されて前記搗精ロールを覆う正規位置にある場合に、前記精米機の運転を許可する点にある。
【０００９】
上記の特徴構成によれば、安全装置は、除糠網が精米機に装着されて搗精ロールを覆う正規位置にある場合に、精米機の運転を許可するから、精米機の運転は除糠網が正規位置にある場合に行われるので、精米機の安全性を高めることができる。
【００１０】
〔構成３〕
本発明に係る精米機は、前記精米機の本体に対して着脱される除糠網着脱ユニットを有し、前記除糠網着脱ユニットは前記除糠網と操作部材とを有して構成され、前記操作部材が前記安全装置を操作するよう構成することが可能である。これにより、簡単な構成で精米機の安全性を高めることができる。
【００１１】
〔構成４〕
本発明に係る精米機は、前記操作部材を前記除糠網よりも上に配置して構成することが可能である。これにより、精米により下方へ落下する精白米や糠による安全装置の誤動作を抑制することが可能となる。
【図面の簡単な説明】
【００１２】
【図１】精米機の構造を示す部分断面図
【図２】精米機の構造を示す部分断面図
【図３】精米機の構造を示す分解図
【図４】安全装置の構造を示す断面図
【図５】安全装置の構造を示す断面図
【発明を実施するための形態】
【００１３】
以下、本実施形態に係る精米機について図面を参照しながら説明する。図１は、搗精ロール６に平行な平面による部分断面図である。図２は、図１の断面に直交する平面による部分断面図である。図３は分解図である。図１〜図３に示すように、精米機１は、本体２、玄米ホッパ３、米容器４、糠容器５、搗精ロール６、除糠網１２、抵抗装置１３、カバー２０、安全装置３０を有して構成される。
【００１４】
玄米ホッパ３は、内部に玄米を貯留するホッパであり、本体２の上部に配置されている。米容器４は、搗精ロール６によって精米された精白米を貯留する容器であり、本体２の下部に配置されている。糠容器５は、搗精ロール６によって玄米から除去された糠を貯留する容器であり、本体２の下部に配置されている。
【００１５】
搗精ロール６は、円柱状の部材であって、主軸６ａに取り付けられている。搗精ロール６の根元側（主軸６ａの側）には、ピッチの細かい螺旋による順送り部が形成されている。搗精ロール６の先端側には、順送り部よりもピッチが粗く、順送り部と反対の螺旋による逆送り部が形成されている。以上述べた機構により、主軸６ａは、主軸プーリ６ｃ、モータープーリ６ｄおよびベルト６ｅによってモータ６ｂに接続されている。モータ６ｂが、主軸６ａおよび搗精ロール６を回転駆動する。
【００１６】
除糠網１２は、中空の円筒状の部材である。除糠網１２の側面には、円筒の内部と外部とを連通する多数のスリットが形成されている。除糠網１２は、図１および図２に示すように、搗精ロール６を覆う位置に配置される。
【００１７】
抵抗装置１３は、抵抗円盤１３ａを除糠網１２の先端（搗精ロール６の先端側）に所定の押圧力で押し当てる装置である。抵抗円盤１３ａの押圧力は、精米度ダイヤル１３ｂを回すことにより調節される。
【００１８】
ここで精米機１での精米の動作について説明する。玄米ホッパ３の下部の開口から流出した玄米が、搗精ロール６の根元付近から、搗精ロール６と除糠網１２との間の空間（精白室８）に供給される。モータ６ｂにより搗精ロール６が回転駆動されると、搗精ロール６と除糠網１２との隙間において米粒相互の摩擦により精米される。精白米は、抵抗円盤１３ａを押し開けて精白室８から飛び出し、米出口１３ｃから米容器４へ落下する。発生した糠は、除糠網１２の側面のスリットを通って精白室８から排出され、精米内筒７に導かれて糠容器５へ落下する。
【００１９】
図３に示すように、本実施形態に係る精米機１では、本体２に対して除糠網着脱ユニット１０およびカバー２０が着脱可能となっている。除糠網着脱ユニット１０は、基板１１、除糠網１２、抵抗装置１３および操作部材１４が一体となって構成されている。具体的には、基板１１の一方の面に除糠網１２が取り付けられ、基板１１の他方の面に抵抗装置１３および操作部材１４が取り付けられている。
【００２０】
操作部材１４は、爪状の部材であって、基板１１から上側に突出して設けられている。すなわち操作部材１４は、図１〜３に示すように、除糠網１２よりも上に配置されている。操作部材１４は、後述する安全装置３０を操作する。詳しくは、除糠網着脱ユニット１０が精米機１に対して着脱される際、操作部材１４が安全装置３０を操作する。本実施形態では、図３に示すように、２つの操作部材１４が除糠網着脱ユニット１０に設けられている。２つの操作部材１４は、精米機１の左右方向（図２の左右方向）に並んで、基板１１の両端に配置されている。
【００２１】
カバー２０は、全体としてコの字状の部材である。図１に示すようにカバー２０は、本体２に取り付けられた状態の除糠網着脱ユニット１０を覆う状態で、本体２に取り付けられる。
【００２２】
以下、本実施形態に係る安全装置３０について、図４および図５を参照しながら説明する。図４は、除糠網着脱ユニット１０が精米機１の本体２に装着された状態を示している。図５は、除糠網着脱ユニット１０が精米機１の本体２から前方へ引き出された状態を示している。
【００２３】
安全装置３０は、マイクロスイッチ３１、スイッチロッド３２およびスプリング３３を有して構成される。本実施形態では、安全装置３０は精米機１の本体２に配置されている。
【００２４】
マイクロスイッチ３１は、搗精ロール６を回転駆動するモータ６ｂの動作の許可／禁止を切り替えるスイッチである。すなわちマイクロスイッチ３１は、精米機１の運転の許可／禁止を切り替えるスイッチである。
【００２５】
スイッチロッド３２は、操作部材１４が接触し、マイクロスイッチ３１を操作する部材である。スイッチロッド３２は、軸部位３２ａ、被操作部位３２ｂおよびスイッチ操作部位３２ｃを有して構成される。軸部位３２ａは、棒状の部位である。スイッチロッド３２は、軸部位３２ａが精米機１の前後方向（図４の左右方向）に延びる姿勢にて、精米機１の本体２に配置されている。被操作部位３２ｂは、軸部位３２ａから下方向に突出した部位であって、除糠網着脱ユニット１０の操作部材１４が接触する部位である。スイッチ操作部位３２ｃは、軸部位３２ａから上方向に突出した部位であって、マイクロスイッチ３１が接触する部位である。
【００２６】
スプリング３３は、コイル状のスプリングであって、スイッチロッド３２を精米機１の前方向（図４の左方向）に付勢する。
【００２７】
本実施形態の精米機１は、安全装置３０は、除糠網１２が精米機１に装着されて搗精ロール６を覆う正規位置にある場合に、精米機１の運転を許可するよう構成されている。図４は、除糠網１２が正規位置にある状態を示している。なお本実施形態では、図４に示すように、除糠網１２が搗精ロール６の全体（先端から根元まで）を覆って、搗精ロール６が露出していない状態となっている。すなわち「除糠網１２が正規位置にある状態」とは、精米機１の使用者が搗精ロール６に触れることができない状態を意味する。
【００２８】
この状態では、除糠網着脱ユニット１０が精米機１の本体２に取り付けられており、除糠網着脱ユニット１０の操作部材１４がスイッチロッド３２の被操作部位３２ｂと接触して、スイッチロッド３２を精米機１の後方向（図４の右方向）へ移動させている。これに伴って、スイッチロッド３２のスイッチ操作部位３２ｃがマイクロスイッチ３１から離れて、マイクロスイッチ３１が押されない状態となっている。本実施形態では、マイクロスイッチ３１が押されない状態で、モータ６ｂの動作が可能となるよう、モータ６ｂの駆動回路が構成されている。
【００２９】
本実施形態の精米機１は、安全装置３０は、除糠網１２が搗精ロール６を覆わない非正規位置にある場合に、精米機１の運転を禁止するよう構成されている。図５は、除糠網１２が非正規位置にある状態の一例を示している。具体的には図５の状態では、除糠網着脱ユニット１０が精米機１の前方向（図５の左方向）へ引き出されて、本体２から少し離れた状態となっている。なお本実施形態では、図５に示すように、除糠網１２が搗精ロール６の全体（先端から根元まで）を覆わず、搗精ロール６の一部（または全部）が露出している状態となっている。すなわち「除糠網１２が非正規位置にある状態」とは、精米機１の使用者が搗精ロール６に触れることが可能な状態を意味する。本実施形態に係る精米機１では、除糠網１２が上述の非正規位置にある状態で、米容器４または糠容器５が本体２から取り外されると、使用者が搗精ロール６に触ることが可能な状態となる。
【００３０】
この状態では、除糠網着脱ユニット１０の操作部材１４はスイッチロッド３２の被操作部位３２ｂと離れている。スイッチロッド３２は、スプリング３３によって押されて、図４の状態に比べて精米機１の前方向（図５の左方向）へ移動している。これに伴って、スイッチロッド３２のスイッチ操作部位３２ｃがマイクロスイッチ３１と接触して、マイクロスイッチ３１が押された状態となっている。本実施形態では、マイクロスイッチ３１が押された状態で、モータ６ｂの動作が禁止されるよう（例えば、モータ６ｂへの電力供給の回路が切断されるよう）、モータ６ｂの駆動回路が構成されている。
【００３１】
なお、以上述べた安全装置３０のマイクロスイッチ３１、スイッチロッド３２およびスプリング３３は、除糠網着脱ユニット１０の２つの操作部材１４に対応する位置に、１組づつ配置されている。すなわち本実施形態では、安全装置３０は２つのマイクロスイッチ３１を有して構成されている。
【００３２】
モータ６ｂの動作の許可／禁止に関して、本実施形態では、２つのマイクロスイッチ３１の両方が押されない状態で、モータ６ｂの動作が可能となるよう、モータ６ｂの駆動回路が構成されている。つまり、２つのマイクロスイッチ３１のうち一方が押され他方が押されない状態では、モータ６ｂの動作が禁止されるよう（例えば、モータ６ｂへの電力供給の回路が切断されるよう）、モータ６ｂの駆動回路が構成されている。これにより、除糠網着脱ユニット１０が不完全な状態で精米機１の本体２に取り付けられて、一方の操作部材１４のみがスイッチロッド３２に接触し、一方のマイクロスイッチ３１のみが押されない状態となった場合、モータ６ｂの動作が禁止され、精米機１の運転が禁止される。これにより、更に安全性を高めた精米機１が実現されている。
【００３３】
（他の実施形態）
（１）上述の実施形態では、安全装置３０が２つのマイクロスイッチ３１を有して構成された。マイクロスイッチ３１は１つであってもよいし、３つ以上であってもよい。
【００３４】
（２）上述の実施形態では、マイクロスイッチ３１が押された状態で、モータ６ｂの動作が禁止されるよう（例えば、モータ６ｂへの電力供給の回路が切断されるよう）、モータ６ｂの駆動回路が構成された。マイクロスイッチ３１が押されない状態でモータ６ｂの動作が禁止されるよう、安全装置３０を構成してもよい。
【００３５】
（３）上述の実施形態では、搗精ロール６は着脱不可の状態で本体２に取り付けられ、除糠網１２が本体から着脱可能となるよう、精米機１が構成された。除糠網１２と搗精ロール６の両方が本体２から着脱可能となるように、精米機１を構成してもよい。また、除糠網１２が着脱不可の状態で本体２に取り付けられ、搗精ロール６が本体から着脱可能となるように、精米機１を構成してもよい。
【００３６】
（４）上述の実施形態では、除糠網着脱ユニット１０が精米機１に正常に取り付けられた際、除糠網１２が搗精ロール６の全体を覆う状態となり、その位置を「正規位置」とした。除糠網１２が搗精ロール６の一部を覆う状態を「正規位置」として、精米機１を構成することも可能である。この場合、除糠網１２が「正規位置」にある際に搗精ロール６が露出しないよう、他の部材が搗精ロール６を覆うと好ましい。例えば、除糠網１２が「正規位置」にある際に搗精ロール６が露出する部位を、他の部材が覆うと好ましい。このように精米機１を構成することで、精米機１の使用者が搗精ロール６に触れることができない「除糠網１２が正規位置にある状態」とすることが可能となる。
【００３７】
なお上述の実施形態（他の実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【符号の説明】
【００３８】
１        ：精米機
２        ：本体
３        ：玄米ホッパ
４        ：米容器
５        ：糠容器
６        ：搗精ロール
６ａ      ：主軸
６ｂ      ：モータ
６ｃ      ：主軸プーリ
６ｄ      ：モータープーリ
６ｅ      ：ベルト
７        ：精米内筒
８        ：精白室
１０      ：除糠網着脱ユニット
１１      ：基板
１２      ：除糠網
１３      ：抵抗装置
１３ａ    ：抵抗円盤
１３ｂ    ：精米度ダイヤル
１３ｃ    ：米出口
１４      ：操作部材
２０      ：カバー
３０      ：安全装置
３１      ：マイクロスイッチ
３２      ：スイッチロッド
３２ａ    ：軸部位
３２ｂ    ：被操作部位
３２ｃ    ：スイッチ操作部位
３３      ：スプリング
【図１】
2018192395.tif 000003
【図２】
2018192395.tif 000004
【図３】
2018192395.tif 000005
【図４】
2018192395.tif 000006
【図５】
2018192395.tif 000007